【手続補正書】
【提出日】平成27年8月14日(2015.8.14)
【手続補正１】
【補正対象書類名】特許請求の範囲
【補正対象項目名】全文
【補正方法】変更
【補正の内容】
【特許請求の範囲】
【請求項１】
少なくとも１つのピクトグラムを有する少なくとも１つの表示素子と、該少なくとも１つの表示素子に関連する少なくとも１つの記憶素子を有する第１のメモリ、及び少なくとも１つの記憶素子を有する第２のメモリを有する１つの表示コントローラと、１つのスイッチング回路とを有する電子機器におけるディスプレイ装置の制御方法であって、
コンテンツを前記第１のメモリの少なくとも１つの記憶素子と前記第２のメモリの少なくとも１つの記憶素子とに書き込み、
前記電子機器をスタンバイモードに設定し、前記第１のメモリ及び前記第２のメモリへの書込アクセスをブロックし、
前記スイッチング回路に接続されるマイクロコントローラによって、表示によって示されるイベントを検出し、
前記少なくとも１つの表示素子を前記第１のメモリの少なくとも１つの記憶素子と前記第２のメモリの少なくとも１つの記憶素子とに交互に関連付けることによって前記少なくとも１つの表示素子の表示を変更するよう前記スイッチング回路を制御する
ことを有する、電子機器におけるディスプレイ装置の制御方法。
【請求項２】
前記コンテンツを前記第１のメモリの少なくとも１つの記憶素子と前記第２のメモリの少なくとも１つの記憶素子とに書き込むことは、制御ユニットがスタンバイモードへの切替のための信号を検出することによってトリガされる、
請求項１に記載の電子機器におけるディスプレイ装置の制御方法。
【請求項３】
前記検出されるイベントは、前記電子機器のリモートコントロールによって発せられるデータフレームの受信に対応する、
請求項１又は２に記載の電子機器におけるディスプレイ装置の制御方法。
【請求項４】
前記イベントを検出することは、前記スイッチング回路に接続されるマイクロコントローラによって、前記電子機器のキーボードのキーの押下に続く信号の変化を検出することを有する、
請求項１又は２に記載の電子機器におけるディスプレイ装置の制御方法。
【請求項５】
前記イベントを検出することは、前記スイッチング回路に接続されるマイクロコントローラによって、現在の時間と前記電子機器の機能の作動を生じさせるプログラムされた時間との一致を検出することを有する、
請求項１又は２に記載の電子機器におけるディスプレイ装置の制御方法。
【請求項６】
少なくとも１つのピクトグラムを有する少なくとも１つの表示素子と、該少なくとも１つの表示素子に関連する少なくとも１つの記憶素子を有する第１のメモリを有する表示コントローラと、スイッチング手段とを有する電子機器におけるディスプレイ装置であって、
前記表示コントローラは第２のメモリを更に有し、
当該ディスプレイ装置は、前記電子機器のスタンバイモード設定によってトリガされるよう構成された、前記第１のメモリ及び前記第２のメモリへの書込アクセスをブロックする手段を有し、
前記スイッチング手段は、前記少なくとも１つの表示素子を前記第２のメモリと前記第１のメモリの少なくとも１つの記憶素子とに交互に関連付けるよう構成され、イベントの検出によってトリガされ得る、
ディスプレイ装置。
【請求項７】
前記電子機器は、視聴覚プログラムの受信機である、
請求項６に記載のディスプレイ装置。
【請求項８】
少なくとも１つのピクトグラムは、前記電子機器のリモートコントロールによって発せられるコマンドの受信を示す、
ことを特徴とする請求項６又は７に記載のディスプレイ装置。
【手続補正２】
【補正対象書類名】明細書
【補正対象項目名】００４５
【補正方法】変更
【補正の内容】
【００４５】
スタンバイモードにおける設定のための要求がマザーボードの制御ユニットによって検出される場合に、制御ユニットは、表示コントローラ３０４の記憶素子への書込を行う。書込は、インターフェースバス３０６を用いて行われる。次いで、制御ユニットは、スタンバイモードにおける表示（表示素子と関連する記憶素子）に対応するコンテンツ及び付加的な記憶素子３０９のコンテンツを書き込む。
【手続補正３】
【補正対象書類名】明細書
【補正対象項目名】００７０
【補正方法】変更
【補正の内容】
【００７０】
また、本発明は、スタンバイモードにおいて設定され且つ制御ユニットが表示コントローラのメモリへのアクセスを有することができないように構成され、ユーザに可視的なプログラムがイベントを報告するために変更されることを可能にするようなあらゆる電子機器に関する。関連する電子機器は、一例として、ＴＶセット、プログラム再生機、放送データの受信機、ゲーム機、スクリーンである。  
上記の実施形態に加えて、以下の付記を開示する。
（付記１）
少なくとも１つのピクトグラムを有する少なくとも１つの表示素子と、該少なくとも１つの表示素子に関連する少なくとも１つの記憶素子を有する第１のメモリ、及び少なくとも１つの記憶素子を有する第２のメモリを有する１つの表示コントローラと、１つのスイッチング回路とを有する電子機器におけるディスプレイ装置の制御方法であって、
コンテンツを前記第１のメモリの少なくとも１つの記憶素子と前記第２のメモリの少なくとも１つの記憶素子とに書き込むステップと、
前記電子機器のスタンバイモードを設定するステップと、
前記スイッチング回路に接続されるマイクロコントローラによって、表示によって示されるイベントを検出するステップと、
前記スタンバイモードの設定後且つ前記イベントの検出前に、前記第１のメモリ及び前記第２のメモリへのアクセスをブロックするステップと、
前記少なくとも１つの表示素子の表示を前記第１のメモリの少なくとも１つの記憶素子と前記第２のメモリの少なくとも１つの記憶素子とに交互に関連付けることによって前記少なくとも１つの表示素子の表示を変更するよう前記スイッチング回路を制御するステップと
を有することを特徴とする電子機器におけるディスプレイ装置の制御方法。
（付記２）
コンテンツを前記第１のメモリの少なくとも１つの記憶素子と前記第２のメモリの少なくとも１つの記憶素子とに書き込む前記ステップは、制御ユニットがスタンバイモードへの切替のための信号を検出することによってトリガされる、
ことを特徴とする付記１に記載の電子機器におけるディスプレイ装置の制御方法。
（付記３）
前記検出されるイベントは、前記電子機器のリモートコントロールによって発せられるデータフレームの受信に対応する、
ことを特徴とする付記１又は２に記載の電子機器におけるディスプレイ装置の制御方法。
（付記４）
イベントを検出する前記ステップは、前記スイッチング回路に接続されるマイクロコントローラが前記電子機器のキーボードのキーの押下に続く信号の変化を検出することに対応する、
ことを特徴とする付記１又は２に記載の電子機器におけるディスプレイ装置の制御方法。
（付記５）
イベントを検出する前記ステップは、前記スイッチング回路に接続されるマイクロコントローラによって現在の時間と前記電子機器の機能の作動を生じさせるプログラムされた時間とが一致することが検出されることに対応する、
ことを特徴とする付記１又は２に記載の電子機器におけるディスプレイ装置の制御方法。
（付記６）
少なくとも１つのピクトグラムを有する少なくとも１つの表示素子と、該少なくとも１つの表示素子に関連する少なくとも１つの記憶素子を有する第１のメモリを有する表示コントローラと、スイッチング手段とを有する電子機器におけるディスプレイ装置であって、
前記表示コントローラは第２のメモリを更に有し、
当該ディスプレイ装置は、前記電子機器のスタンバイモード設定によってトリガされるよう構成された、前記第１のメモリ及び前記第２のメモリへのアクセスをブロックする手段を有し、
前記スイッチング手段は、前記少なくとも１つの表示素子を前記第２のメモリと前記第１のメモリの少なくとも１つの記憶素子とに交互に関連付けるよう構成され、イベントの検出によってトリガされ得る、
ことを特徴とするディスプレイ装置。
（付記７）
前記電子機器は、視聴覚プログラムの受信機である、
ことを特徴とする付記６に記載のディスプレイ装置。
（付記８）
前記少なくとも１つのピクトグラムは、前記電子機器のリモートコントロールによって発せられるコマンドの受信を示す、
ことを特徴とする付記６又は７に記載のディスプレイ装置。